(57)【要約】【課題】  画像形成装置が提供できる機能を、ユーザが画像形成装置を動作させる前に提示することで画像形成装置が有する機能を有効利用できるようにする。【解決手段】  ユーザーが複写指示を行なった後に予めユーザーが設定している複写設定と画像形成装置が提供できる機能との比較を行ない、その機能比較結果を基に複写を行なう上でユーザーにより優位な機能を提案する機能提案手段を具備し、ユーザーが１度、複写指示を行なった後に複写設定を変更して複写を実施できる。【選択図】  図１
2006023635.tif 000002
【特許請求の範囲】
【請求項１】
画像形成装置において、ユーザーが複写指示を行なった後に予めユーザーが設定している複写設定と画像形成装置が提供できる機能との比較を行なう機能比較手段と、その機能比較手段で得た結果を基に複写を行なう上でユーザーにより優位な機能を提案する機能提案手段を具備し、ユーザーが１度、複写指示を行なった後に複写設定を変更して複写を実施できることを特徴とする画像形成装置。
【発明の詳細な説明】
【技術分野】
【０００１】
本発明は、画像形成装置の操作において複写原稿の数量と複写部数、ならびに画像形成装置が装備している機能と画像形成装置利用ユーザーが設定した複写設定から、画像形成装置利用ユーザーに対しより効果的な複写設定を提示する画像形成装置に関する。
【背景技術】
【０００２】
複写対象原稿枚数が多い場合や複写部数が複数ある場合において、画像形成装置が搭載している機能を知らずに複写動作を実行してしまうこと、ならびに、画像形成装置に搭載されている機能を知っていても設定を実行することを忘れて複写を実行していた。
【０００３】
一方、複写機などの画像形成装置においては、ユーザの操作指示によって画像形成装置が有する機能の説明を表示させる、いわゆるヘルプ機能を有していた。（例えば特許文献１参照）
【特許文献１】特開２００３−１２５１３２号公報
【発明の開示】
【発明が解決しようとする課題】
【０００４】
そのため、例えば、不用意に複写用紙を大量に使用したり、画像形成装置にステープル機能が搭載されていても、それを使う設定をせずに複写を実行し、複写を実行後、個別にステープルしたりしていた。また、画像形成装置が上記のヘルプ機能を有していても、ユーザがその機能の存在に気が付かなければその機能が使われることも無く、画像形成装置が多くの機能を有していてもこれらの機能が有効活用されることが無かった。
【０００５】
本発明はこのような状況のもとでなされたものであり、画像形成装置が提供できる機能を、画像形成動作実行前にユーザに対して提示することで画像形成装置が有する機能を有効利用できるようにすることを目的としている。
【課題を解決するための手段】
【０００６】
上記課題を解決するために、本発明の画像形成装置は、ユーザーが複写指示を行なった後に予めユーザーが設定している複写設定と画像形成装置が提供できる機能との比較を行なう機能比較手段と、その機能比較手段で得た結果を基に複写を行なう上でユーザーにより優位な機能を提案する機能提案手段を具備し、ユーザーが１度、複写指示を行なった後に複写設定を変更して複写を実施できることを特徴とする画像形成装置である。
【発明の効果】
【０００７】
本発明により、画像形成装置ユーザーが画像形成装置を利用するときに、画像形成装置が画像形成装置利用ユーザーに対し最適な複写結果を得られる設定を促すことで、画像形成装置利用ユーザーは画像形成装置の備えている応用モードの設定を意識しなくても、複写を実行する過程で、応用モードの設定を容易に行なえる。従って、画像形成装置を使うことに不慣れなユーザーも、簡単に応用モード設定を行なうことが可能となる。
【発明を実施するための最良の形態】
【０００８】
以下添付図面を参照して、本発明に係る好適な実施例を詳細に説明する。
【０００９】
図１は、本発明の形態における処理のフローを示した図である。ステップＳ１０１は、画像形成装置を使って複写を実行するにあたり、複写対象原稿を読み込ませるために画像形成装置の操作部１４０にあるスタートキー１０２９が押されたか否かを検出する処理を行なう。ステップＳ１０１において、画像形成装置のスタートキー１０２９が押されていない場合には、ステップＳ１０１の状態にある。ステップＳ１０１において、画像形成装置のスタートキー１０２９が押されたら処理をステップＳ１０２へ移行する。ステップＳ１０２は、ステップＳ１０１の操作を実施して読み込んだ複写対象原稿のページ数とその原稿の複写部数から複写用紙枚数を算出する処理を実施する。ステップＳ１０３は、画像形成装置が複写対象原稿の複写を実施するにあたり、画像形成装置に設定されている設定事項を調べる処理を行なう。ステップＳ１０２で算出した複写用紙枚数に照らし合わせてステップＳ１０３で調査された画像形成装置の設定内容を確認する。ステップＳ１０４は、ステップＳ１０３において確認された設定内容とステップＳ１０２で算出された必要用紙数量、ならびに画像形成装置が装備しているオプション情報を元により画像形成装置を有効に利用する為のアナウンスを画像形成装置利用の顧客に対して実施する。尚、アナウンスは、画像形成装置に装備されていパネル操作部１３０へ表示したり、音声にてアナウンスしても良く、その方法には言及しなし。ステップＳ１０４において、有効な機能をユーザーに対し提供できない場合には、処理をステップＳ１０５へ移行する。ステップＳ１０４において、画像形成装置の利用者に対し有用な機能を提示できる場合には処理をステップＳ１０６へ移行する。ステップＳ１０５は、画像形成装置が読み込んだ画像データを複写する処理を実行する。ステップＳ１０６は、ステップＳ１０４で画像形成装置利用者に対し、有用な機能を提示できる場合に、その利用できる機能を連絡する処理を実施する。
【００１０】
ステップＳ１０７は、ステップＳ１０６で画像形成装置利用者に対し提示された付加設定をユーザーがキャンセルしたか否かを判断する処理を行なう。ステップＳ１０７において画像形成装置利用ユーザーが、ステップＳ１０６で画像形成装置から提示された付加設定を画像形成装置に設定することをキャンセルした場合には、現状の複写設定で複写対象原稿の複写を実行する。ステップＳ１０７において画像形成装置利用ユーザーが、ステップＳ１０６で画像形成装置から提示された付加設定を画像形成装置に設定することをキャンセルしなかった場合には、ステップＳ１０８に処理を移行する。ステップＳ１０８は、画像形成装置利用ユーザーが画像形成装置の複写設定を変更したか否かの判断を行う。画像形成装置の複写設定が変更されていない場合には、ステップＳ１０７の処理に戻る。画像形成装置の複写設定が変更された場合には処理をステップＳ１０９へ移行する。ステップＳ１０９は、画像形成装置の操作部１４０の複写スタートキーが押されたか否かの処理を示し、スタートキーが押された場合にはステップＳ１０８の処理で設定変更された複写設定に基づいて複写動作を実行する。ステップＳ１０９において、スタートキーが押されない場合には、そのまま複写動作を実行せずにスタートキー押下を待ちつづける。
【００１１】
図２は、本発明の形態によって構成したネットワークシステムである。
【００１２】
図中の２００はインターネット通信網である。２０１はウェブサーバであり、インターネット２００上に接続され、インターネットユーザーに特定のサービスを提供する。２０２は金融機関と消費者クライアントの間の決済処理などを行う電子マネーサーバである。２０４は個人ユーザーの端末とインターネット２００との接続処理を行うサービスプロバイダである。２０３はファイアーウォールであり、これにより下に図示したＬＡＮ２０１１内部と外部通信網（インターネット２００）とを接続し、セキュリティー管理などを行う。２０９はＬＡＮ２０１１で接続された２０５〜２０８、２２０の各機器管理サーバーである。２０８はファイルサーバであり、ＬＡＮで接続された複数のユーザーがデータを共有することができる。
【００１３】
２２０はデジタル複写機などの画像形成装置であり、主に画像の入出力機能を有する。この画像形成装置２２０において、１４０はユーザーが各種の操作を行うための操作部、１０は操作部１４０やパソコン２０５からの指示にしたがって画像を読み取るためのイメージスキャナ、２０はパソコン２０５やファイルサーバ２０８からのデータを用紙に印刷するプリンターである。
【００１４】
３０はコントローラユニットであり、操作部１４０やパソコン２０５からの指示に基づいてスキャナ１０、プリンター２０に対する画像データの入出力の制御を行う。例えば、スキャナ１０が取り込んだ画像データをコントローラ内部のメモリに蓄積したり、パソコン２０５に出力したり、あるいはプリンター２０で印刷するなどの制御を行う。２０６、２０７はＭＦＰ（マルチファンクションプリンタ）であり、パソコン２０５やファイルサーバ２０８からの画像データを記録媒体上にプリントすることができる。２０５は端末装置として接続されたパソコンである。インターネット２００を介してウェブサーバ２０１から提供された情報を閲覧したり、画像データを画像形成装置２２０、２０６、２０７に出力したりすることができる。
【００１５】
なお、上記構成はインターネットにファイアーウォール２０３を介してＬＡＮ２０１１が接続されている構成となっているが、サービスプロバイダ２０４を介してファイアーウォールが接続される構成でもかまわない。
【００１６】
本発明の画像処理装置の外観を図３に示す。
【００１７】
画像入力デバイスであるスキャナ部１０は、原稿画像をランプにより照射し、ＣＣＤラインセンサ（図示せず）で読み取り、電気信号に変換することで画像データとして処理を行なう。原稿用紙を原稿フィーダ１４２にセットし、装置使用者が操作部１４０から読み取り起動指示することにより、フィーダ１４２は原稿用紙を１枚ずつフィードし原稿画像の読み取り動作を行う。
【００１８】
画像出力デバイスであるプリンタ部２０は、画像データを用紙上の画像に変換する部分であり、本特許の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部２０には、異なる用紙サイズまたは異なる用紙向きを選択できるように複数の給紙段を持ち、それに対応した用紙カセット１２２、１２４、１４２、１４４がある。また、画像形成された用紙は排紙トレイ１３２上に排出される。
【００１９】
図４は本発明の画像形成装置の構成を説明する断面図である。図面を用いて動作の詳細を説明する。
【００２０】
１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行うコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４、１４２、１４４は給紙ユニットであり（１２０は手差し給紙ユニット）、各給紙ローラ１２１、１２３、１２５、１４３、１４５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熱により定着される。１３１はフラッパであり、定着プロセスの終了した転写用紙の搬送パスを、ソーター１３２または中間トレイ１３７の配置方向のいずれかに制御する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００２１】
１３９のコントローラ部には後述するマイクロコンピュータ、画像処理部等を備えており、マンマシンインターフェース装置１４０からの指示に従って、前述の画像形成動作を行う。
【００２２】
操作部１４０の構成を図５に示す。ＬＣＤ表示部１０３２は、ＬＣＤ上にタッチパネルシートが貼られており、システムの操作画面を表示するとともに、表示してあるキーが押されるとその位置情報をコントローラユニット３０に伝える。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２３】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンターキーであり、コンピュータ等の外部装置からのプリント出力に関する設定などを行なうときに使用する。
【００２４】
コントローラユニットの構成図を図６に示す。コントローラユニット３０は画像入力デバイスであるスキャナ１０や画像出力デバイスであるプリンタ２０と接続し、一方ではＬＡＮ６１８や公衆回線（ＷＡＮ）６１９接続することで、画像情報やデバイス情報の入出力を行う為のコントローラである。ＣＰＵ６０１はシステム全体を制御するコントローラである。ＲＡＭ６０２はＣＰＵ６０１が動作するためのシステムワークメモリであり、画像データを一時記憶するための画像メモリでもある。ＲＯＭ６０６はブートＲＯＭであり、システムのブートプログラムが格納されている。ＨＤＤ６０７はハードディスクドライブで、システムソフトウェア、画像データ、ソフトウェアカウンタ値などを格納する。操作部Ｉ／Ｆ６０３は操作部（ＵＩ）１４０とのインターフェース部で、操作部１４０に表示する画像データを操作部１４０に対して出力する。また、操作部１４０から本システム使用者が入力した情報を、ＣＰＵ６０１に伝える役割をする。Ｎｅｔｗｏｒｋ６０４はＬＡＮ６１８に接続し、情報の入出力を行う。Ｍｏｄｅｍ６０５は公衆回線６１９に接続し、情報の入出力を行う。スキャナ、プリンタ通信Ｉ／Ｆはスキャナ１０、プリンタ２０のＣＰＵとそれぞれ通信を行なうためのＩ／Ｆである。以上のデバイスがシステムバス６０９上に配置される。
【００２５】
Ｉｍａｇｅ  Ｂｕｓ  Ｉ／Ｆ６０８はシステムバス６０９と画像データを高速で転送する画像バス６１７を接続し、データ構造を変換するバスブリッジである。画像バス６１７は、ＰＣＩバスまたはＩＥＥＥ１３９４で構成される。画像バス６１７上には以下のデバイスが配置される。ラスターイメージプロセッサ（ＲＩＰ）６１６はＰＤＬコードをビットマップイメージに展開する。デバイスＩ／Ｆ部６１１は、画像入出力デバイスであるスキャナ１０やプリンタ２０とコントローラ３０を接続し、画像データの同期系／非同期系の変換を行う。スキャナ画像処理部６１５は、入力画像データに対し補正、加工、編集を行う。プリンタ画像処理部は、プリント出力画像データに対して、プリンタの補正、解像度変換等を行う。画像回転部６１３は画像データの回転を行う。画像圧縮部６１２は、多値画像データはＪＰＥＧ、２値画像画像データはＪＢＩＧ、ＭＭＲ、ＭＨの圧縮伸張処理を行う。
【００２６】
以下、図６に示したコントローラユニット３０内の各ブロックの説明を行なう。
【００２７】
図７はスキャナ画像処理部６１５の構成を示す。画像バスＩ／Ｆコントローラ２０８１は、画像バス６１７と接続し、そのバスアクセスシーケンスを制御する働きと、スキャナ画像処理部６１５内の各デバイスの制御及びタイミングを発生させる。フィルタ処理部２０８２は、空間フィルタでコンボリューション演算を行う。編集部２０８３は、例えば入力画像データからマーカーペンで囲まれた閉領域を認識して、その閉領域内の画像データに対して、影つけ、網掛け、ネガポジ反転等の画像加工処理を行う。変倍処理部２０８４は、読み取り画像の解像度を変える場合にラスターイメージの主走査方向について補間演算を行い拡大、縮小を行う。副走査方向の変倍については、画像読み取りラインセンサ（図示せず）を走査する速度を変えることで行う。テーブル２０８５は、読み取った輝度データである画像データを濃度データに変換するために、行うテーブル変換である。２値化２０８６は、多値のグレースケール画像データを、誤差拡散処理やスクリーン処理によって２値化する。
【００２８】
処理が終了した画像データは、再び画像バスコントローラ２０８１を介して、画像バス上に転送される。
【００２９】
プリンタ画像処理部６１４の構成を図８に示す。画像バスＩ／Ｆコントローラ２０９１は、画像バス６１７と接続し、そのバスアクセスシーケンスを制御する働きと、プリンタ画像処理部６１４内の各デバイスの制御及びタイミングを発生させる。解像度変換部２０９２は、Ｎｅｔｗｏｒｋ６１８あるいは公衆回線６１９から来た画像データを、プリンタ２０の解像度に変換するための解像度変換を行う。スムージング処理部２０９３は、解像度変換後の画像データのジャギー（斜め線等の白黒境界部に現れる画像のがさつき）を滑らかにする処理を行う。
【００３０】
画像圧縮部６１２の構成を図９に示す。画像バスＩ．／Ｆコントローラ２０４１は、画像バス６１７と接続し、そのバスアクセスシーケンスを制御する働き、入力バッファ２０４２・出力バッファ２０４５とのデータのやりとりを行うためのタイミング制御及び、画像圧縮部２０４３に対するモード設定などの制御を行う。以下に画像圧縮処理部の処理手順を示す。
【００３１】
画像バス６１７を介して、ＣＰＵ６０１から画像バスＩ／Ｆコントローラ２０４１に画像圧縮制御のための設定を行う。この設定により画像バスＩ／Ｆコントローラ２０４１は画像圧縮部２０４３に対して画像圧縮に必要な設定（たとえばＭＭＲ圧縮・ＪＢＩＧ伸長等の）を行う。必要な設定を行った後に、再度ＣＰＵ６０１から画像バスＩ／Ｆコントローラ２０４１に対して画像データ転送の許可を行う。この許可に従い、画像バスＩ／Ｆコントローラ２０４１はＲＡＭ６０２もしくは画像バス６１７上の各デバイスから画像データの転送を開始する。受け取った画像データは入力バッファ２０４２に一時格納され、画像圧縮部２０４３の画像データ要求に応じて一定のスピードで画像を転送する。この際、入力バッファは画像バスＩ／Ｆコントローラ２０４１と、画像圧縮部２０４３両者の間で、画像データを転送できるかどうかを判断し、画像バス６１７からの画像データの読み込み及び、画像圧縮部２０４３への画像の書き込みが不可能である場合は、データの転送を行わないような制御を行う（以後このような制御をハンドシェークと呼称する）。画像圧縮部２０４３は受け取った画像データを、一旦ＲＡＭ２０４４に格納する。これは画像圧縮を行う際には行う画像圧縮処理の種類によって、数ライン分のデータを要するためであり、最初の１ライン分の圧縮を行うためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸長）された画像データをＲＡＭ６０２もしくは画像バス６１７上の各デバイスにデータを転送する。こうした一連の処理は、ＣＰＵ６０１からの処理要求が無くなるまで（必要なページ数の処理が終わったとき）、もしくはこの画像圧縮部から停止要求が出るまで（圧縮及び伸長時のエラー発生時等）繰り返される。
【００３２】
画像回転部６１３の構成を図１０に示す。画像バスＩ／Ｆコントローラ２０３１は、画像バス６１７と接続し、そのバスシーケンスを制御する働き、画像回転部２０３２にモード等を設定する制御及び、画像回転部２０３２に画像データを転送するためのタイミング制御を行う。以下に画像回転部の処理手順を示す。
【００３３】
画像バス６１７を介して、ＣＰＵ６０１から画像バスＩ／Ｆコントローラ２０３１に画像回転制御のための設定を行う。この設定により画像バスＩ／Ｆコントローラ２０３１は画像回転部２０３２に対して画像回転に必要な設定（たとえば画像サイズや回転方向・角度等）を行う。必要な設定を行った後に、再度ＣＰＵ６０１から画像バスＩ／Ｆコントローラ２０３１に対して画像データ転送の許可を行う。この許可に従い、画像バスＩ／Ｆコントローラ２０３１はＲＡＭ６０２もしくは画像バス６１７上の各デバイスから画像データの転送を開始する。尚、ここでは３２ｂｉｔをそのサイズとし回転を行う画像サイズを３２×３２（ｂｉｔ）とし、又、画像バス６１７上に画像データを転送させる際に３２ｂｉｔを単位とする画像転送を行うものとする（扱う画像は２値を想定する）。
【００３４】
上述のように、３２×３２（ｂｉｔ）の画像を得るためには、上述の単位データ転送を３２回行う必要があり、且つ不連続なアドレスから画像データを転送する必要がある。（図１１参照）
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１２のようにＹ方向に書き込んでいく。読み出し時にＸ方向に読み出すことで、画像が回転される。
【００３５】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。
【００３６】
回転処理された画像データを受け取った画像バスＩ／Ｆコントローラ２０３１は、連続アドレッシングを以て、ＲＡＭ６０２もしくは画像バス６１７上の各デバイスにデータを転送する。
【００３７】
こうした一連の処理は、ＣＰＵ６０１からの処理要求が無くなるまで（必要なページ数の処理が終わったとき）繰り返される。
【００３８】
デバイスＩ／Ｆ部６１１の構成を図１３に示す。画像バスＩ／Ｆコントローラ２０２１は、画像バス６１７と接続し、そのバスアクセスシーケンスを制御する働きと、デバイスＩ／Ｆ部６１１内の各デバイスの制御及びタイミングを発生させる。また、スキャナ１０及びプリンタ２０への制御信号を発生させる。スキャンバッファ２０２２は、スキャナ１０から送られてくる画像データを一時保存し、画像バス６１７に同期させて画像データを出力する。シリアルパラレル・パラレルシリアル変換２０２３は、スキャンバッファ２０２２に保存された画像データを順番に並べて、あるいは分解して、画像バス６１７に転送できる画像データのデータ幅に変換する。パラレルシリアル・シリアルパラレル変換２０２４は、画像バス６１７から転送された画像データを分解して、あるいは順番に並べて、プリントバッファ２０２５に保存できる画像データのデータ幅に変換する。プリントバッファ２０２５は、画像バス６１７から送られてくる画像データを一時保存し、プリンタ２０に同期させて画像データを出力する。
【００３９】
画像スキャン時の処理手順を以下に示す。スキャナ１０から送られてくる画像データをスキャナ１０から送られてくるタイミング信号に同期させて、スキャンバッファ２０２２に保存する。そして、画像バス６１７がＰＣＩバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス６１７上に転送する。また、画像バス６１７がＩＥＥＥ１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス６１７上に転送する。
【００４０】
画像プリント時の処理手順を以下に示す。画像バス６１７がＰＣＩバスの場合には、画像バスから送られてくる３２ビットの画像データを画像バスＩ／Ｆコントローラで受け取り、パラレルシリアル・シリアルパラレル変換２０２４に送り、プリンタ２０の入力データビット数の画像データに分解し、プリントバッファ２０２５に保存する。また、画像バス６１７がＩＥＥＥ１３９４の場合には、画像バスからおくられてくるシリアル画像データを画像バスＩ／Ｆコントローラで受け取り、パラレルシリアル・シリアルパラレル変換２０２４に送り、プリンタ２０の入力データビット数の画像データに変換し、プリントバッファ２０２５に保存する。そして、プリンタ２０から送られてくるタイミング信号に同期させて、バッファ内の画像データを先入れ先出しで、プリンタ２０に送る。
【００４１】
図１４は、本発明の実施の形態における画像形成装置が画像形成装置利用ユーザーに対して両面印刷設定を提示する場合の処理の流れを示した図である。ステップＳ１４０１は、複写対象原稿のページ数と複写部数から複写に必要な用紙枚数を算出する処理を行なう。ステップＳ１４０２は、画像形成装置が画像形成装置利用者に対し、ステップＳ１４０１で算出した複写に使う用紙数と予め画像形成装置に設定する両面印刷設定を促す用紙枚数値とを比較する。ステップＳ１４０２において、ステップＳ１４０１で算出された複写用紙枚数が予め設定された両面印刷設定を促す用紙枚数値よりも少ない場合には処理を終了する。ステップＳ１４０２において、ステップＳ１４０１で算出された複写用紙枚数が予め設定された両面印刷設定を促す用紙枚数値よりも多い場合には、ステップＳ１４０３へ処理を移行する。ステップＳ１４０３は、予め設定していた両面印刷設定を促す用紙枚数値よりも複写用紙枚数が多かった場合において、画像形成装置に両面印刷の指定があるか否かを判断する処理を行なう。ステップＳ１４０３において画像形成装置に両面印刷を実施する設定がなされている場合には処理を終了する。ステップＳ１４０３において画像形成装置に両面印刷を実施する設定がなされていない場合にはステップＳ１４０４へ処理を移行する。ステップＳ１４０４は、ステップＳ１４０３で画像形成装置に両面印刷の設定がなされていなかった場合の処理を示し、複写を実行するにあたり画像形成装置利用ユーザーに対し、両面印刷設定を促すアナウンスを行ない処理を終了する。このアナウンスは、操作部１４０の表示パネルにメッセージを表示する、あるいは、音声を使って知らせる方法でもどちらでも構わない。ステップＳ１０４とステップＳ１０６の処理を行なうときに、このフローを実施する。
【００４２】
図１５は、本発明の実施の形態における画像形成装置が画像形成装置利用ユーザーに対してステープル設定を提示する場合の処理の流れを示した図である。ステップＳ１５０１は画像形成装置利用ユーザーが画像形成装置に対し、複写対象原稿を複数部数複写したか否かの判断をする処理を行なう。ステップＳ１５０１において、画像形成装置利用ユーザーが画像形成装置に対し複写対象原稿を複数部数、複写する設定を行なっていない場合は処理を終了する。ステップＳ１５０１において、画像形成装置利用ユーザーが画像形成装置に対し複写対象原稿を複数部数、複写する設定を行なっている場合は、ステップＳ１５０２へ処理を移行する。ステップＳ１５０２は、画像形成装置に画像形成装置利用ユーザーがステープルを実施する設定をしているか否かを判断する処理を行なう。ステップＳ１５０２において、画像形成装置に画像形成装置利用ユーザーがステープル設定を行なっていた場合には処理を終了する。ステップＳ１５０２において、画像形成装置に画像形成装置利用ユーザーがステープル設定を行なっていない場合には、ステップＳ１５０３へ処理を移行する。ステップＳ１５０３は、ステップＳ１５０２で画像形成装置にステープルを行なう設定がなされていなかった場合の処理を示し、複写を実行するにあたり画像形成装置利用ユーザーに対し、ステープルを実行する設定を促すアナウンスを行ない処理を終了する。このアナウンスは、操作部１４０の表示パネルにメッセージを表示する、あるいは、音声を使って知らせる方法でもどちらでも構わない。ステップＳ１０４とステップＳ１０６の処理を行なうときに、このフローを実施する。尚、画像形成装置にステープル機能が無い場合には、本処理は実施しない。
【００４３】
図１６は、本発明の実施の形態における画像形成装置が画像形成装置利用ユーザーに対してＮ  ｉｎ  １  設定を提示する場合の処理の流れを示した図である。ステップＳ１６０１は、複写対象原稿のページ数と複写部数から複写に必要な用紙枚数を算出する処理を行なう。ステップＳ１６０２は画像形成装置に装着されている給紙カセットに格納されている用紙枚数を調べる処理を行なう。ステップＳ１６０３は、ステップＳ１６０２で得た画像形成装置の給紙カセットに格納されている用紙の数とステップＳ１６０１で算出した複写対象原稿の複写枚数を比較する処理を行なう。ステップＳ１６０３において、ステップＳ１６０１で算出された複写用紙枚数がステップＳ１６０２で得られた画像形成装置の給紙カセット内部の残用紙数より少ない場合には処理を終了する。ステップＳ１６０３において、ステップＳ１６０１で算出された複写用紙枚数がステップＳ１６０２で得られた画像形成装置の給紙カセット内部の残用紙数より多い場合にはステップＳ１６０４へ処理を移行する。ステップＳ１６０４は、ステップＳ１６０３で画像形成装置の給紙カセット内部にある用紙枚数が複写用紙全枚数よりも少なかった場合の処理を示し、複写を実行するにあたり画像形成装置利用ユーザーに対し、Ｎ  ｉｎ  １設定を促すアナウンスを行ない処理を終了する。このアナウンスは、操作部１４０の表示パネルにメッセージを表示する、あるいは、音声を使って知らせる方法でもどちらでも構わない。ステップＳ１０４とステップＳ１０６の処理を行なうときに、このフローを実施する。
【００４４】
本発明の実施の例において、画像形成装置利用ユーザーに対し、両面印刷設定を促すアナウンスを行なう、ステープル設定を促すアナウンスを行なう、Ｎ  ｉｎ  １印刷設定を促すアナウンスを行なう説明を行なったが、これらの処理が並行、もしくは、単独で実施される。
【００４５】
加えて、例えば、ステープル機能が無い画像形成装置については、両面印刷設定を促すアナウンスを行なう、Ｎ  ｉｎ  １印刷設定を促すアナウンスを行なう。更に、画像形成装置には様々な応用モード機能が備わっている。それらも包含することは言うまでも無い。
【図面の簡単な説明】
【００４６】
【図１】本発明の形態における処理のフローを示した図である。
【図２】本発明の画像処理装置を含むネットワークシステムを示す図である。
【図３】本発明の画像処理装置の外観を示すである。
【図４】画像処理装置の全体構成を示す断面図である。
【図５】操作部を示す図である。
【図６】コントローラユニットの構成を示す図である。
【図７】スキャナ画像処理部のブロック図を示す図である。
【図８】プリンタ画像処理部のブロック図を示す図である。
【図９】画像圧縮処理部のブロック図を示す図である。
【図１０】画像回転部のブロック図を示す図である。
【図１１】画像回転処理の説明図を示す図である。
【図１２】画像回転処理の説明図を示す図である。
【図１３】デバイスＩ／Ｆ部のブロック図を示す図である。
【図１４】本発明の実施の形態における画像形成装置が画像形成装置利用ユーザーに対して両面印刷設定を提示する場合の処理の流れを示した図である。
【図１５】本発明の実施の形態における画像形成装置が画像形成装置利用ユーザーに対してステープル設定を提示する場合の処理の流れを示した図である。
【図１６】本発明の実施の形態における画像形成装置が画像形成装置利用ユーザーに対してＮ  ｉｎ  １  設定を提示する場合の処理の流れを示した図である。
【図１】
2006023635.tif 000003
【図２】
2006023635.tif 000004
【図３】
2006023635.tif 000005
【図４】
2006023635.tif 000006
【図５】
2006023635.tif 000007
【図６】
2006023635.tif 000008
【図７】
2006023635.tif 000009
【図８】
2006023635.tif 000010
【図９】
2006023635.tif 000011
【図１０】
2006023635.tif 000012
【図１１】
2006023635.tif 000013
【図１２】
2006023635.tif 000014
【図１３】
2006023635.tif 000015
【図１４】
2006023635.tif 000016
【図１５】
2006023635.tif 000017
【図１６】
2006023635.tif 000018